(57)【要約】      （修正有）【課題】多くの情報を表示できる表示片を有し、開封すると、再封状態で外から内部の状態を簡単に視認できる包装箱を提供する。【解決手段】箱体形成片１２から成り、連接された正面板１４、第一側面板１６、背面板１８、第二側面板２０、表示片９２が連接されている。正面板１４には、視認窓用破断線８６に囲まれた切り取り部８４を備える。組み立て状態で、正面板１４、第一側面板１６、背面板１８、第二側面板２０で筒状体を形成し、表示片９２が正面板１４に折り重ねられ、正面板１４の切り取り部８４の表面に糊付けされる。表示片９２を正面板１４から引き起こすことにより、視認窓用破断線８６を破断し、正面板１４から切り取り部８４が取り除かれ、取り除かれた位置に内部確認用の視認窓が形成される。【選択図】図２
0003199762.tif 000002
【実用新案登録請求の範囲】
【請求項１】
一枚のブランクシートから一体的に打ち抜かれた箱体形成片から成り、
前記箱体形成片には、正面板、第一側面板、背面板、第二側面板が、互いに平行な折罫線で区切られて順に連接され、その連接方向の一端部に表示片が折罫線を介して連接され、前記正面板には、視認窓用破断線に囲まれた切り取り部が設けられ、
組み立て状態で、前記正面板、前記第一側面板、前記背面板、前記第二側面板の表面を外側にして折り曲げ、当該４つの板を側板とする筒状体を形成し、前記表示片が前記正面板に折り重ねられ、前記表示片の裏面が前記正面板の前記切り取り部の表面に糊付けされ、
使用に際して、前記表示片を前記正面板から引き起こすことにより、前記視認窓用破断線が破断し、前記正面板の前記切り取り部が取り除かれ、取り除かれた位置に内部確認用の視認窓が形成されることを特徴とする包装箱。
【請求項２】
前記表示片の前記連接方向の端部に、前記表示片を前記正面板から引き起こす操作を行うための摘み部が延設され、前記正面板の前記切り取り部の一辺は、隣に連接された前記第一側面板側の端部に位置し、前記視認用破断線の中の直線部分が前記正面板と前記第一側面板とを区切る前記折罫線に沿って設けられ、
組み立て状態で、前記表示片の前記摘み部が、前記視認用破断線の前記直線部分と重なる位置に配され、前記摘み部の先端部が前記筒状体より外向きに突出している請求項１記載の包装箱。
【請求項３】
前記第一側面板側の端部に位置した前記視認用破断線の前記直線部分は、切り目と繋ぎ部とが交互に配されている請求項２記載の包装箱。
【請求項４】
前記背面板には、前記連接方向に対して直角方向の２つの端部上蓋片及び下蓋片がそれぞれ延設され、前記表示片には、前記上蓋片側の端部に上側糊付けフラップが、前記下蓋片側の端部に下側糊付けフラップが、それぞれ開封用破断線に区切られて延設され、
組み立て状態で、前記表示片が前記正面板に折り重ねられ、前記表示片の裏面が前記正面板の前記切り取り部の表面に糊付けされ、前記筒状体の一方の開口端を塞ぐように前記上側糊付けフラップと前記上蓋片とが折り重ねられ、前記上側糊付けフラップの裏面が前記上蓋片の表面に糊付けされ、前記筒状体の他方の開口端を塞ぐように前記下側糊付けフラップと前記下蓋片とが折り重ねられ、前記上側糊付けフラップの裏面が前記上蓋片の表面に糊付けされ、
使用する際に、前記表示片を前記正面板から引き起こす操作を行い、上側及び下側の前記開封用破断線を破断することによって開封することができることを特徴とする請求項１、２又は３記載の包装箱。
【請求項５】
前記表示片は、切り離し用破断線により前記前記第二側面板と区切られている請求項１乃至４のいずれか記載の包装箱。
【考案の詳細な説明】
【技術分野】
【０００１】
本考案は、工場等で商品等の収容物が入れられ、側面に表示片を備えるとともに開封後も再封して使用可能な包装箱に関する。
【背景技術】
【０００２】
従来、特許文献１に開示されているように、矩形の箱体である本体（空容器体）に、表示片（広告等表示用フラップ）が折り曲げ自在に連成され、その折り曲げ部の一部に切れ目が形成された販売促進用陳列広告媒体があった。蓋片は、開封後に再封可能な構造になっている。また、表示片は、断続的に設けられた切れ目の端面部同士が接触した際の摩擦係止力により、伸展させた状態に保持固定される。
【０００３】
また、特許文献２に開示されているように、矩形の箱体である本体に表示片が切離可能に連成され、不正な改ざんを防止する構造も備えた包装箱があった。この包装箱は、表示片の上蓋側及び下蓋側の端部に、それぞれ上側及び下側糊付けフラップが切離可能に延設されており、組み立て状態で、表示片が正面板に折り重ねられ、上蓋片の外側に上側糊付けフラップが重なって糊付けされ、下蓋片の外側に下側糊付けフラップが重なって糊付けされている。開封するときは、表示片を正面板から引き上げ、上側及び下側糊付けフラップを表示片から切り離す操作を行う。したがって、上側及び下側糊付けフラップが切離しているか否かを見ることで、不正な改ざんがあったことを容易に検出することができる。
【先行技術文献】
【特許文献】
【０００４】
【特許文献１】特開２０１０−８５９５号公報
【特許文献２】実用新案登録第３１８５８４１号公報
【考案の概要】
【考案が解決しようとする課題】
【０００５】
特許文献１の販売促進用陳列広告媒体の場合、収容物を出したり戻したりして使用されるが、蓋片を閉じて再封した状態で外から内部の状態を視認することができないので、例えば、収容物が中に戻されているか、収容物の残量はどれくらいかを知りたいとき、いちいち蓋片を開いて内部を確認しなければならず、非常に面倒である。また、表示片がしっかり保持されず不安定な構造なので、工場から出荷された後の流通の過程で、表示片がブラブラしたり箱体から切離してしまったりするおそれがある。
【０００６】
特許文献２の包装箱も、特許文献１の販売促進用陳列広告媒体と同様に、再封した状態で外から内部の状態を視認することができないという問題がある。
【０００７】
本考案は、上記背景技術に鑑みて成されたものであり、多くの情報を表示できる表示片を有し、開封すると、再封状態で外から内部の状態を簡単に視認できる包装箱を提供することを目的とする。
【課題を解決するための手段】
【０００８】
本考案は、一枚のブランクシートから一体的に打ち抜かれた箱体形成片から成り、前記箱体形成片には、正面板、第一側面板、背面板、第二側面板が、互いに平行な折罫線で区切られて順に連接され、その連接方向の一端部に表示片が折罫線を介して連接され、前記正面板には、視認窓用破断線に囲まれた切り取り部が設けられ、組み立て状態で、前記正面板、前記第一側面板、前記背面板、前記第二側面板の表面を外側にして折り曲げ、当該４つの板を側板とする筒状体を形成し、前記表示片が前記正面板に折り重ねられ、前記表示片の裏面が前記正面板の前記切り取り部の表面に糊付けされ、使用に際して前記表示片を前記正面板から引き起こすことにより、前記視認窓用破断線が破断し、前記正面板の前記切り取り部が取り除かれ、取り除かれた位置に内部確認用の視認窓が形成される包装箱である。
【０００９】
また、前記表示片の前記連接方向の端部に、前記表示片を前記正面板から引き起こす操作を行うための摘み部が延設され、前記正面板の前記切り取り部の一辺は、隣に連接された前記第一側面板側の端部に位置し、前記視認用破断線の中の直線部分が前記正面板と前記第一側面板とを区切る前記折罫線に沿って設けられ、組み立て状態で、前記表示片の前記摘み部が、前記視認用破断線の前記直線部分と重なる位置に配され、前記摘み部の先端部が前記筒状体より外向きに突出している構成にすることが好ましい。
【００１０】
前記第一側面板側の端部に位置した前記視認用破断線の前記直線部分は、切り目と繋ぎ部とが交互に配されている。
【００１１】
さらに、前記背面板には、前記連接方向に対して直角方向の２つの端部上蓋片及び下蓋片がそれぞれ延設され、前記表示片には、前記上蓋片側の端部に上側糊付けフラップが、前記下蓋片側の端部に下側糊付けフラップが、それぞれ開封用破断線に区切られて延設され、組み立て状態で、前記表示片が前記正面板に折り重ねられ、前記表示片の裏面が前記正面板の前記切り取り部の表面に糊付けされ、前記筒状体の一方の開口端を塞ぐように前記上側糊付けフラップと前記上蓋片とが折り重ねられ、前記上側糊付けフラップの裏面が前記上蓋片の表面に糊付けされ、前記筒状体の他方の開口端を塞ぐように前記下側糊付けフラップと前記下蓋片とが折り重ねられ、前記上側糊付けフラップの裏面が前記上蓋片の表面に糊付けされ、使用するとき、前記表示片を前記正面板から引き起こす操作を行い、上側及び下側の前記開封用破断線を破断することによって開封することができる構成にしてもよい。また、前記表示片は、切り離し用破断線により前記前記第二側面板と区切られている構成にしてもよい。
【考案の効果】
【００１２】
本考案の包装箱は、表示片を備えているので、商品説明等の多くの情報を表示することができる。また、組み立てた状態で、表示片が箱体に糊付けされるので、流通の過程で表示片が不安定になったり切離したりする心配がない。しかも、表示片を箱体から引き上げ、開封すると、正面板に視認窓が開口するので、再封した状態でも外から内部の状態を容易に視認することができる。
【図面の簡単な説明】
【００１３】
【図１】本考案の包装箱の一実施形態の組み立て状態を示す斜視図である。
【図２】この実施形態の包装箱の箱体形成片を裏面から見た展開図である。
【図３】図２の箱体形成片の組み立て工程を示す図である。
【図４】図２の箱体形成片の組み立て工程を示す図である。
【図５】図２の箱体形成片の組み立て工程を示す図である。
【図６】図２の箱体形成片の組み立て工程を示す図であって、筒状体が立体的に形成された状態を示す斜視図である。
【図７】図６の筒状体の摘み部の部分を第二側面板側から見た拡大図である。
【図８】この実施形態の包装箱を開封するため、表示板を正面板から引き離した状態を示す斜視図である。
【考案を実施するための形態】
【００１４】
以下、この考案の包装箱の一実施形態について、図面に基づいて説明する。図１はこの考案の一実施形態の包装箱１０を示したもので、包装箱１０は、図２（ａ）に示す箱体形成片１２を組み立てることによって形成されている。
【００１５】
箱体形成片１２は、厚紙等の一枚のブランクシートを打ち抜いて形成され、正面板１４、第一側面板１６、背面板１８、第二側面板２０、第一表示板２２が順に連接されている。この５つの板の各連接方向の長さは、正面板１４、背面板１８及び第一表示板２２が長くて互いにほぼ等しく、第一及び第二側面板１６，２０が短くて互いにほぼ等しい。さらに、第一表示板２２の側方に、第一表示板２２よりもやや外形が小さい第二表示板２４が連接され、正面板１４の側方には、組み立て状態で第二側面板２０の内側に糊付けされる細長い糊付片２６が連接されている。糊付片２６、正面板１４、第一側面板１６、背面板１８、第二側面板２０、第一表示板２２、第二表示板２４は、それぞれ折罫線２８，３０，３２，３４、切り離し用破断線３６、折罫線３８で区切られている。箱体形成片１２には、表面側に商品名やその他必要な情報が印刷されている。なお、第一及び第二表示板２２，２４は、組み立てた状態で、後述する表示片９２となる。
【００１６】
正面板１４の連接方向に対して直角方向の一端部には、その中央部分を内側に切り欠いた半円状の切り欠き１４ａが設けられ、他端部にも同様の切り欠き１４ｂが設けられている。
【００１７】
第一側面板１６の一端部であって、正面板１４の切り欠き１４ａが形成された側の端部には、略台形状のサイドフラップ４０が延設され、折罫線４２で第一側面板１６の端部と区切られている。サイドフラップ４０の延設長は、正面板１４の幅（連接方向の長さ）の約1/2である。第一側面板１６の反対側の端部にも、ほぼ同形状のサイドフラップ４４が延設され、折罫線４６で第一側面板１６と区切られている。
【００１８】
背面板１８の、サイドフラップ４０側の端部には、略長方形の上蓋片４８が延設され、折罫線５０で背面板１８の端部と区切られている。上蓋片４８の延設長は、第一側面板１６の幅（連接方向の長さ）とほぼ等しい。さらに上蓋片４８の先端部に差し込み片５２が延設され、折罫線５４で上蓋片４８の端部と区切られている。差し込み片５２は、組み立て状態で正面板１４の内側に差し込まれる部分であり、切り欠き１４ａによる開口を塞ぐ程の大きさを有している。
【００１９】
背面板１８の、サイドフラップ４４側の端部には、上蓋片４８とほぼ同形状の下蓋片５６が延設され、折罫線５８で背面板１８の端部と区切られている。さらに下蓋片５６の先端部に差し込み片６０が延設され、折罫線６２で下蓋片５６の端部と区切られている。差し込み片６０は、組み立て状態で正面板１４の内側に差し込まれる部分であり、切り欠き１４ｂによる開口を塞ぐ程の大きさを有している。また、折罫線５０，６２の両端部に、所定長さの切り込み６４がそれぞれ設けられている。
【００２０】
第二側面板２０の、上蓋片４８側の端部には、サイドフラップ４０とほぼ同形状のサイドフラップ６６が延設され、折罫線６８で第二側面板２０の端部と区切られている。第二側面板２０の反対側の端部にも、サイドフラップ６６とほぼ同形状のサイドフラップ７０が延設され、折罫線７２で第二側面板２０と区切られている。
【００２１】
第一表示板２２の、サイドフラップ６６側の端部には、略台形状の上側糊付けフラップ７４が延設され、開封用破断線７６で第一表示板２２と区切られている。上側糊付けフラップ７４の延設長は上蓋片４８とほぼ同じであり、先端側がやや狭くなっている。第一表示板２２の反対側の端部には、上側糊付けフラップ７４とほぼ同形状の下側糊付けフラップ７８が延設され、開封用破断線８０で第一表示板２２と区切られている。
【００２２】
第一表示板２２と第二表示板２４との境界部分は、折罫線３８の中央部分が省略され、折罫線３８の内側両端を始点とする台形状の切り込み８２ａが第二表示板２４に入る向きに形成され、切り込み８２ａに区切られた内側が摘み部８２になっている。
【００２３】
さらに、正面板１４の長手方向のほぼ中央部に、略長方形の切り取り部８４が視認窓用破断線８６に囲まれて設けられている。切り取り部８４は、隣に連接された第一側面板１６側の端部に位置し、図２（ｂ）に示すように、視認窓用破断線８６の四辺の中の一辺である直線部分８８が折罫線３０に沿って設けられ、直線部分８８は、２つの切り目８８ａと１つの繋ぎ部８８ｂ（正面板１４と第一側面板１６が連続する部分）を交互に配したレイアウトになっている。視認窓用破断線８６の直線部分８８以外の部分は、ジッパ線でもよいしミシン目でもよい。
【００２４】
次に、箱体形成片１２の組み立て方法の一例を説明する。図２は箱体形成片１２を裏面側から見たものであり、ここでは、箱体形成片１２の表面側が凸になる折り方を正折り、裏面側が凹になる折り方を逆折りと称する。
【００２５】
まず、図３に示すように、第二表示板２４の裏面に糊９０を塗布し、図４に示すように、第二表示片２４を折罫線３８で正折りして第一表示板２２に重ねて糊付する。この糊付けにより、第一及び第二表示板２２，２４が一体となった表示片９２が形成され、摘み部８２が表示片９２の端部の折罫線３８から外向きに突出する。そして、折罫線３０を正折りして糊付け片２６及び正面板１４を第一側面板１６及び背面板１８に重ね、糊付け片２６の表面に糊９４を塗布し、正面板１４の切り取り部８４の表面にも糊９６を塗布する。
【００２６】
その後、図５に示すように、折罫線３４を正折りして第二側面板２０及び表示片９２を糊付け片２６及び正面板１４に重ね、第二側面板２０の裏面の切り離し用破断線３６側の端部に糊付け片２６を糊付けし、第二表示板２４の表面に正面板１４の切り取り部８４を糊付けする。これで、摘み部８２が、視認窓用破断線８６の直線部分８８と重なる位置に配置される。箱体形成片１２は、この折り畳まれた状態で出荷される。
【００２７】
次に、商品等の収容物を包装する工場等で立体的に組み立てる。まず、折罫線２８，３０，３２，３４と切り離し用破断線３６を各々９０度になるように正折りし、図６に示すように、四角形の筒状体を形成する。この状態で、筒状体の摘み部８２の部分を第一側面板１６側から見ると、図７に示すように、表示片９２が正面板１４に重なって糊９６で糊付けされており、第一表示板２２側に、切り込み８２ａが開いて摘み部８２の端面８２ｔが現れ、正面板１４については、視認窓用破断線８６の直線部分８８にある切り目８８ａが開いて切り取り部８４の端面８４ｔが現れる。そして、２つの端面８４ｔの近傍に位置する第一側面板１６の部分に、２つの窪み９８が現れる。
【００２８】
窪み９８が発生するのは、折罫線３８が折り曲げたり戻したりされることによって、直線部分８８の近傍の基材（厚紙等）が部分的に塑性変形し、第一側面板１６に面内歪みが生じるためである。まず、図３から図４の折り畳み状態に移行するとき、折罫線３０が正折りされて正面板１４が第一側面板１６に重なる。このとき、繋ぎ部８８ｂに表面側を引き延ばす方向の外力が加わり、繋ぎ部８８ｂが延びる。一方、直線部分８８の切り目８８ａ近傍は、切り目８８ａが広がるものの、切れ目８８ａ近傍の基材に加わる外力は小さく、繋ぎ部８８ｂに比べて変形量は小さい。その後、図５の折り畳み状態から図６の立体的にした状態に移行するとき、折罫線３０が９０度の正折りに戻される。このとき、直線部分８８の切り目８８ａ近傍は、ほとんど変形していないので、広がっている切り目８８ａが自然に閉じる方向に動く。一方、繋ぎ部８８ｂは、先に変形して延びているので、切り目８８ａの端に近い部分が閉じようとする動作を妨げる。これにより、基材の直線部分８８近傍部分に面内歪みが発生し、第一側面板１６に窪み９８が発生する。
【００２９】
図６に示すような筒状体が形成されると、次は、筒状体の底部となる一方の端部を閉鎖する。まず、サイドフラップ４４，７０を各々折罫線４６，７２で９０度に正折りし、差し込み片６０を折罫線６２で正折りし、下蓋片５６を折罫線５８で９０度に正折して差し込み片６０を正面板１４の内側に差し込む。差し込み片６０は、正面板１４やサイドフラップ４４，７０との接触摩擦により係止され、さらに一対の切り込み６４がサイドフラップ４４，７０の端部と係合して強く抜け止めされ、それによって下蓋片５６がしっかり保持され、筒状体の底部となる。次に、筒状体の開放端（上蓋片４８側の端部）から商品等の収容物を入れる。
【００３０】
収容物を入れると、開放端を閉鎖するため、サイドフラップ４０，６６を各々折罫線４２，６８で９０度に正折りし、差し込み片５２を折罫線５４で正折りし、上蓋片４８を折罫線５０で９０度に正折して差し込み片５２を正面板１４の内側に差し込む。差し込み片５２は、正面板１４やサイドフラップ４０，６６との接触摩擦により係止され、さらに一対の切り込み６４がサイドフラップ４０，７０の端部と係合して強く抜け止めされ、それによって上蓋片４８がしっかり保持され、筒状体の天井部となる。
【００３１】
最後に、上側糊付けフラップ７４の裏面に図示しない糊を塗布し、開封用破断線７６を９０度に正折りし、上側糊付けフラップ７４を上蓋片４８の表面に糊付けする。同様に、下側糊付けフラップ７８の裏面に図示しない糊を塗布し、開封用破断線８０を９０度に正折りし、下側糊付けフラップ７８を下蓋片５６の表面に糊付けする。これで包装箱１０の組み立て作業が終了し、図１の状態になる。
【００３２】
次に、商品等を購入した使用者が包装箱１０を開封する操作について説明する。開封するときは、箱体の側面から外側に突出する表示片９２の摘み部８２を指で摘まむ。このとき、摘み部８２の裏側の近傍に窪み９８があるので、摘み部８２を摘まみやすい。
【００３３】
そして、図８に示すように、表示片９２を正面板１４から引き起こすようにして開封用破断線７６，８０を破断させる。すると、正面板１４の視認窓用破断線８６もほぼ同時に破断し、表示片９２に糊付けされた切り取り部８４が取り除かれ、取り除かれた位置に内部確認用の視認窓１００が形成される。このとき、表示片９２は、第一及び第二表示板２２，２４の２枚分の強度があるので、引き上げるときに変形しにくい。また、上側及び下側糊付けフラップ７４，７８は、表示片８４から切り離されるが、上蓋片４８と下蓋片５６にそれぞれ糊付されているので、分離してゴミになることはない。
【００３４】
開封用破断線７６，８０を破断した後は、切り欠き１４ａの内側に指を当てて差し込み片５２を抜き、上蓋片４８を引き上げ、サイドフラップ４０，６６を引き上げて筒状体の端部を開放し、中の収容物を取り出す。さらに、収容物を戻して再封するときは、サイドフラップ４０，６６を９０度に正折して元に戻し、上蓋片４８を９０度に正折して差し込み片５２を差し込んで、元に戻す。
【００３５】
開封した後、使用者は、切り離し用破断線３６を破断することによって、表示片９２を筒状体から切り離して使用することができる。表示片９２は、２枚の表示板２２，２４が糊付けされて一体になっているので、折れ曲がったり破れたりしにくく、表裏の両面（第一表示板２２の表面、第二表示板２４の表面）に表示が現れて情報量も多い。したがって、例えば、表示片９２を見やすい位置に吊下げたり、財布や洋服のポケットに入れたりするのに便利である。表示片９２は、筒状体の第二側面板２０に繋げたままにしておいても構わない。
【００３６】
以上説明したように、包装箱１０は、表示片９２を備えているので、商品説明等の多くの情報を表示することができる。また、組み立てた状態で、表示片９２が箱体に糊付けされるので、流通の過程で表示片９２がブラブラしたり切離したりする心配がない。また、改ざん防止構造になっており、しかも、表示片９２を箱体から引き上げて開封すると正面板１４に視認窓１００が形成されるので、再封した状態でも外から内部の状態を容易に視認することができる。また、視認窓用破断線８６の独特な直線部分８８の構成により、組み立て状態で摘み部８２の下側に窪み９８ができるので、表示片９２を引き上げるときに摘み部８２を摘まみやすい。
【００３７】
なお、本考案の包装箱は上記実施形態に限定されるものではない。例えば、上記の包装箱１０は、第一表示板２２と第二表示板２４を折り重ねて糊付しているが、糊付けを省略し、左右に開いて使用できるようにしてもよい。また、表示すべき情報量が少ないとき等は、第二表示片を省略しても構わない。
【００３８】
包装箱１０は、視認窓用破断線８６を利用して正面板１４に窪み９８を発生させ、摘み部８２を摘みやすくする構造になっているが、もともと摘み部が摘まみやすい場合（例えば、摘み部の突出長が十分長い場合など）はこの構造が不要なので、視認窓の配置や視認窓用破断線の形状を自由に変更することができる。また、摘み部は必要に応じて省略してもよい。
【００３９】
包装箱１０の場合、上蓋片４８は、差し込み片５２、サイドフラップ４０，４６、及び切り欠き１４ａの構造により開閉自在になっているが、その他の公知な構造を用いて開閉自在にしてもよい。下蓋片５６についても同様であり、特に下蓋片については、閉じたまま開放できない構造にしてもよい。また、改ざん防止機能が不要であれば、上側及び下側糊付けフラップ７４，７８を省略しても構わない。
【００４０】
また、箱体の側面となる正面板、第一側面板、背面板、第二側面板の用語は、本考案の包装箱の構成を特定するために定義したものであり、使用する際にどの面を正面にするかは自由である。例えば、背面板に商品名を大きく目立つように印刷表示し、店頭に陳列するとき背面板を正面に向けて並べるようにしてもよい。
【符号の説明】
【００４１】
１０  包装箱
１２  箱体形成片
１４  正面板
１６  第一側面板
１８  背面板
２０  第二側面板
３６  切り離し用破断線
４８  上蓋片
５６  下蓋片
７４  上側糊付けフラップ
７６  開封用破断線
７８  下側糊付けフラップ
８０  開封用破断線
８２  摘み部
８４  切り取り部
８６  視認窓用破断線
８８  直線部分
８８ａ  切り目
８８ｂ  切り目
９２  表示片
１００  視認窓
【図１】
0003199762.tif 000003
【図２】
0003199762.tif 000004
【図３】
0003199762.tif 000005
【図４】
0003199762.tif 000006
【図５】
0003199762.tif 000007
【図６】
0003199762.tif 000008
【図７】
0003199762.tif 000009
【図８】
0003199762.tif 000010